(57)【要約】【課題】本発明は、十分な把持強度を有しつつ握り易い魚釣用リールのハンドルノブを提供することを課題とする。【解決手段】本発明の魚釣用リール１のハンドルノブ１０は、ハンドル７の支軸９に装着される筒部材１１と、筒部材１１に取り付けられる把持部材２０と、を備え、把持部材２０は、筒部材１１に直交する方向に一体的に設けられる中央把持部３０と、中央把持部３０に対し筒部材１１と直交する方向の一側に取着される第１側方把持部４０と、中央把持部２０に対し筒部材１１と直交する方向の他側に取着される第２側方把持部５０と、を備え、中央把持部３０の直交方向の長さは、第１側方把持部４０及び第２側方把持部５０よりも短い。【選択図】図２
2020065512.tif 000002
【特許請求の範囲】
【請求項１】
ハンドルの支軸に装着される筒部材と、
前記筒部材に取り付けられる把持部材と、を備え、
前記把持部材は、
前記筒部材に直交する方向に一体的に設けられる中央把持部と、
前記中央把持部に対し前記筒部材と直交する方向の一側に取着される第１側方把持部と、
前記中央把持部に対し前記筒部材と直交する方向の他側に取着される第２側方把持部と、を備え、
前記中央把持部の前記直交方向の長さは、前記第１側方把持部及び前記第２側方把持部よりも短いことを特徴とする魚釣用リールのハンドルノブ。
【請求項２】
前記中央把持部の内部に、両側に連通して開口する肉抜き穴を有する空間が形成されていることを特徴とする請求項１に記載の魚釣用リールのハンドルノブ。
【請求項３】
前記筒部材の一側部は、前記中央把持部の内部に形成した肉抜き穴を有する空間を跨いで両受状態で離間固定されていることを特徴とする請求項２に記載の魚釣用リールのハンドルノブ。
【請求項４】
請求項１から請求項３のいずれか１項に記載のハンドルノブを備えた魚釣用リール。
【発明の詳細な説明】
【技術分野】
【０００１】
本発明は、魚釣用リールのハンドルノブ及びこのハンドルノブを備える魚釣用リールに関する。
【背景技術】
【０００２】
魚釣用リールにおいて、ハンドルノブを把持し回転操作すると、巻き取り機構が駆動し釣り糸がスプールに巻き取られる。このような巻き取り操作で把持されるハンドルノブは、ハンドルの支軸に回転自在に装着される筒部材と、筒部材に固定され外周面が把持面を構成する把持部材と、を備える。
【０００３】
ハンドルノブには様々な種類があり、一例として、ハンドルの支軸の端部に回転自在に取着されるハンドルノブを軸方向に３分割したもの、言い換えると、外側面を構成する部品と、内側面を構成する部品と、これらの間に配置されて下面及び上面を構成する中間部品とを備えて構成されるものが下記特許文献１に開示されている。
【先行技術文献】
【特許文献】
【０００４】
【特許文献１】特開２００６−２３８７４６号公報
【発明の概要】
【発明が解決しようとする課題】
【０００５】
しかしながら、上記特許文献１の把持部材は、外側面、下面及び上面、内側面から構成される把持領域の外周面がそれぞれ軸方向に複数の異なる部品・部位で構成されており連続していない。さらに、これらの部品を一体化するための締結用のネジ頭部及びネジ穴が外側面に露出している。
このため、把持部材を把持した時に掌と指の腹部に違和感が生じてフィット感に劣り、長時間の巻取り操作で痛みを生じてしまう。また、軸方向に３分割される把持部材は、形状として軸方向から視て丸形状ノブ（ラウンドノブ）であることより、ノブ全体をしっかり掴みながら力強く回転操作し難く、大物釣り等の巻取り操作にあまり適さない。
さらに、中間部品は、外側面を構成する部品と内側面を構成する部品とに単に挟持されているだけで固定強度が低い。よって、巻き取り操作により軸回りの大きな負荷が作用した場合に中間部品が回転し（把持部材にねじれが生じ）、握り性が良くない。
【０００６】
本発明は、このような課題を解決するために創作されたものであり、十分な把持強度を有しつつ握り易い魚釣用リールのハンドルノブ、及びこのハンドルノブを有する魚釣用リールを提供することを目的とする。
【課題を解決するための手段】
【０００７】
前記課題を解決するため、本発明の魚釣用リールのハンドルノブ及び魚釣用リールは、ハンドルの支軸に装着される筒部材と、前記筒部材に取り付けられる把持部材と、を備え、前記把持部材は、前記筒部材に直交する方向に一体的に設けられる中央把持部と、前記中央把持部に対し前記筒部材と直交する方向の一側に取着される第１側方把持部と、前記中央把持部に対し前記筒部材と直交する方向の他側に取着される第２側方把持部と、を備え、前記中央把持部の前記直交方向の長さは、前記第１側方把持部及び前記第２側方把持部よりも短いことを特徴とする。
【０００８】
前記発明によれば、筒部材に対して直交方向に把持部材が、中央把持部及びその両側に第１側方把持部と第２側方把持部のそれぞれに３分割され、更に、中央把持部の前記直交方向の長さを第１側方把持部と第２側方把持部よりも短く形成されている。よって、把持部材を掴み込んだ時の外表面の段差による触感の変化がないので、把持した時に掌と指の腹部に違和感が生じることがなくなってフィット感に優れ、長時間の巻取り操作でも痛みを生じることがなくなると共に、ノブ全体をしっかり掴んで力強く回転操作ができるので、大物釣り等の巻取り操作にも最適である。
また、把持部材の外側面に対するねじ部材、ねじ穴の露出をなくすることが可能となり、更に把持性が向上する。
巻き取り操作により軸Ｏ１回りの大きな負荷が作用しても、中央把持部３０、第１側方把持部４０並びに第２側方把持部５０が回転するおそれがない。よって、把持部材２０にねじれが生じることがなく、握り性に優れる。
【０００９】
また、前記発明において、前記中央把持部の内部に、両側に連通して開口する肉抜き穴を有する空間が形成されていることが好ましい。
【００１０】
前記構成によれば、把持部材が大きく軽量化されて、ハンドルの回転操作性が向上すると共に釣糸放出操作時の不要なハンドル回転による不具合も抑制される。また、ハンドル側の重量偏位も軽減されて魚釣操作性も向上する。
【００１１】
また、前記発明において、前記筒部材の一側部は、前記中央把持部の内部に形成した肉抜き穴を有する空間を跨いで両受状態で離間固定されていることが好ましい。
【００１２】
前記構成によれば、把持部材全体の軽量化を図りながら、筒部材を中央把持部内に強固に支持固定できるので、強負荷巻取操作時に不規則な強い力が把持部材に作用しても、強度的な不具合（曲がり、折れ、ガタ付き、抜け等）を生じることなく、安定した巻取操作が行える。
【発明の効果】
【００１３】
以上から、十分な把持強度を有しつつフィット感に優れ握り易い魚釣用リールのハンドルノブ、及びこのハンドルノブを有する魚釣用リールを提供することができる。
【図面の簡単な説明】
【００１４】
【図１】実施形態に係る魚釣用リールの全体構成を示す平面図である。
【図２】実施形態に係るハンドルを水平に切った断面を上方から視た断面図である。
【図３】実施形態に係るハンドルノブの分解斜視図である。
【図４】実施形態に係るハンドルを上下かつ左右に延在する平面で断面を後方から視た断面図である。
【図５】効果を説明するための模式図であり、（ａ）は実施形態に係るハンドルノブの模式図であり、（ｂ）は比較例に係るハンドルノブの模式図である。
【図６】第１変形例に係る第１側方把持部の断面図である。
【図７】第２変形例に係るハンドルノブを上下かつ左右に延在する平面で断面を後方から視た断面図である。
【図８】第３変形例に係る中央把持部の断面を拡大した拡大断面図である。
【図９】第４変形例に係る第２支持穴近傍の断面を拡大した拡大断面図である。
【発明を実施するための形態】
【００１５】
実施形態に係るハンドルノブ１０を適用した魚釣用リール１について図面を参照しながら説明する。以下の説明において、「前後」「左右」を言うときは図１に示した方向を基準とし、「上下」を言うときは図３に示す方向を基準とする。
【００１６】
図１に示すように、魚釣用リール１は、スプール２と一体回転するスプール軸３を左右両側の側板４，５で支持する両軸受型リールである。右側の側板５はハンドル軸６を回転自在に支持し、そのハンドル軸６の右端部にハンドル７が固定されている。ハンドル７は、一端がハンドル軸６に固定された板状のアーム８と、アーム８の他端に固定された円柱状の支軸９と、支軸９に回転自在に支持される略Ｔ字状のハンドルノブ１０と、を備えている。
【００１７】
図２に示すように、ハンドルノブ１０は、左右方向に開口する円筒状の筒部材１１と、筒部材１１の右部に取り付けられる把持部材２０と、を備えている。
【００１８】
筒部材１１は、金属製の部品であり、内部に支軸９が収容されている。筒部材１１の内周面１２には、支軸９に外嵌された第１軸受１３と第２軸受１４が内嵌されており、筒部材１１は、支軸９の中心軸Ｏ１を中心に回転自在に支持されている。筒部材１１の内周側には、内周面１２の径よりも小径の小径部１５が形成されている。この小径部１５は、第１軸受１３と第２軸受１４とに挟持され、筒部材１１が支軸９から脱落しないようになっている。
【００１９】
筒部材１１の外周側の左部は、アーム８と把持部材２０との間に配置され、支軸９を覆う被覆部１６を構成している。一方、筒部材１１の外周側の右部は、把持部材２０内に配置されて把持部材２０を固定する固定部１７を構成している。
【００２０】
図３に示すように、被覆部１６は、把持部材２０側に近づくにつれて係方向外側に拡径している。このため、被覆部１６の外周面と把持部材２０の左側面（内側面）２２との角度が鈍角になるように形成されている（図４参照）。よって、被覆部１６の外周面と把持部材２０の左側面２２とに跨って指の腹を当てても痛くならないようになっている。
【００２１】
固定部１７は、左右方向に延在し、把持部材２０の後述する中央把持部３０の直径とほぼ同じ長さに形成されている（図２参照）。固定部１７の左端部１７ａには、第１雄ねじ部が形成されている。また、固定部１７の右端部１７ｂには、第２雄ねじ部が形成されている。また、固定部１７において左端部１７ａと右端部１７ｂとの間に位置する中間部１７ｃは、何ら形成されておらず、断面視円形状の外周面となっている。
また、固定部１７の右端部１８には、右開口１８ａが形成されている。
【００２２】
図２に示すように、把持部材２０は、釣り糸の巻き取り操作をする際に釣り人に把持される部位であり、前後方向（筒部材１１と直交する方向）に長く形成されている。
把持部材２０の外形は、左右かつ上下方向で切った断面が円形となっている。また、把持部材２０の外径は、前後方向の両端部から中央部に向うにつれて拡径している（図２参照）。
以上から、把持部材２０は、中心軸Ｏ２回りに放物線を回転させてなる回転放物体であり、図４に示すように、中心軸Ｏ２回りに周回する外周面（右側面２１、左側面２２、上面２３、及び下面２４から構成される面）が円形となっている（参照）。
また、把持部材２０には、筒部材１１の固定部１７を支持する支持穴２７（第１支持穴２８，第２支持穴２９）が形成されている。なお、支持穴２７（第１支持穴２８，第２支持穴２９）については後述する。
【００２３】
図３に示すように、把持部材２０は、前後方向の中央部に位置する金属製の中央把持部３０と、中央把持部３０の前側に配置される金属製の第１側方把持部４０と、中央把持部３０の後側に配置される金属製の第２側方把持部５０とから構成され、前後方向（直交方向）に三分割されている。
【００２４】
図２に示すように、中央把持部３０には、前後方向に貫通する中央肉抜き穴３１が形成されており、中央把持部３０は略円筒状を呈している。
なお、中央肉抜き穴３１における空間において、前方に向って開口する部分を第１開口部３２と称し、後方に向って開口する部分を第２開口部３３と称し、第１開口部３２と第２開口部３３とを連通する部分を中央連通穴３４と称する。
【００２５】
図４に示すように、第１開口部３２と第２開口部３３と中央連通穴３４のそれぞれは、左右かつ上下方向で切った断面が中心軸Ｏ２を中心とする円形状となっている（第１開口部３２と第２開口部３３については破線を参照）。
よって、第１開口部３２と第２開口部３３と中央連通穴３４のそれぞれは、旋盤加工（中央把持部３０を中心軸Ｏ２回りに回転させながら中心軸Ｏ２方向に切削する加工）により形成可能な穴である。
【００２６】
中央連通穴３４の半径ｒ３４は、第１開口部３２の半径ｒ３２と第２開口部３３の半径ｒ３３よりも小径に形成されている。このため、中央把持部３０において中央連通穴３４の外周側を囲む部分には、肉部が残り、肉厚となっている。以下、肉厚となっている部分を肉厚部３５と称する。
【００２７】
図２に示すように、第１開口部３２の前端面３２ａの内周側には、前方に突出する円筒状の第１雄ねじ部３２ｂが形成されている。第２開口部３３の後端面３３ａの内周側には、後方に突出する円筒状の第２雄ねじ部３３ｂが形成されている。なお、第１雄ねじ部３２ｂ及び第２雄ねじ部３３ｂの外周面には、ねじ溝が形成されている。
【００２８】
第１側方把持部４０の内周には、後端面４０ａから前方に向って窪む第１肉抜き穴４１が形成されている。第１肉抜き穴４１は、左右かつ上下方向で切った断面が中心軸Ｏ２を中心とする円形状に形成されている。また、第１肉抜き穴４１は、前方に向うにつれて縮径し、第１側方把持部４０の壁部が一定の肉厚となるように形成されており、第１側方把持部４０の外表面形状も内周に沿って縮径する略砲弾状に形成されている。
第１側方把持部４０の後端部は、内周面にねじ溝が形成されて第１雌ねじ部４３を構成している。第１雌ねじ部４３は、中央把持部３０の第１雄ねじ部３２ｂに螺合し、第１側方把持部４０と中央把持部３０とが一体になっている。
また、中央把持部３０の前端面３２ａと第１側方把持部４０の後端面４０ａとの接合面間には、リング状のシール部材４４が介在している。
【００２９】
第２側方把持部５０の内周には、前端面５０ａから後方に向って窪む第２肉抜き穴５１が形成されている。第２肉抜き穴５１は、左右かつ上下方向で切った断面が中心軸Ｏ２を中心とする円形状に形成されている。第２肉抜き穴５１は、後方に向うにつれて縮径し、第２側方把持部５０の壁部が一定の肉厚となるように形成されており、第２側方把持部５０の外表面形状も内周に沿って縮径する略砲弾状に形成されている。
また、第２側方把持部５０の後端部は、内周面にねじ溝が形成されて第２雄ねじ部５３を構成している。そして、第２雌ねじ部５３が中央把持部３０の第２雄ねじ部３３ｂに螺合し、第２側方把持部５０と中央把持部３０とが一体になっている。
また、中央把持部３０の後端面３３ａと第２側方把持部５０の前端面５０ａとの接合面間には、リング状のシール部材５４が介在している。
【００３０】
また、第１側方把持部４０の前後方向の長さＬ４０と第２側方把持部５０の前後方向の長さＬ５０とは同一に形成されている。また、中央把持部３０において中心軸Ｏ１から第１側方把持部４０又は第２側方把持部５０の接合面までの長さＬ３０は、第１側方把持部４０の長さＬ４０や第２側方把持部５０の長さＬ５０よりも短く形成されている。
【００３１】
次に、第１支持穴２８，第２支持穴２９について説明する。
図２、図４に示すように、第１支持穴２８は、中央把持部３０の左側面２２から中央連通穴３４に向って貫通している。第２支持穴２９は、中央把持部３０の内周面を窪ませることで形成されている。
第１支持穴２８及び第２支持穴２９は、中心軸Ｏ１を中心とする円形状の穴である。このため、第２支持穴２９は、第１支持穴２８の延長線上に位置し、中央連通穴３４を挟んで第１支持穴２８と対向している。
第１支持穴２８の内径と第２支持穴２９の内径は、同一に形成されている。また、第１支持穴２８及び第２支持穴２９の内周面には、雌ねじ部が形成されている。
なお、第２支持穴２９の右側には、中央把持部３０の右側面２１を構成する閉塞部２９ａが配置され、第２支持穴２９の右開口が閉塞されている。
【００３２】
このような第１支持穴２８及び第２支持穴２９に対し、筒部材１１の固定部１７は、次のように組み付けられている。
固定部１７の右端部１７ｂは、第２支持穴２９に配置されて第２支持穴２９の雌ねじ部と螺合している。固定部１７の左端部１７ａは、第１支持穴２８に配置されて第１支持穴２８の雌ねじ部と螺合している。固定部１７の中間部１７ｃは、中央連通穴３４内に配置されている。
なお、固定部１７の右端部１７ｂを第２支持穴２９内に配置する前提として固定部１７の右端部１７ｂが第１支持穴２８を通過する必要がある。ここで、右端部１７ｂが第１支持穴２８を通過する際に、右端部１７ｂの雄ねじ部と第１支持穴２８の雌ねじ部とが係合する。このため、筒部材１１（右端部１７ｂ）を回転させながら第１支持穴２８を通過させる必要がある。
【００３３】
そのほか、中央把持部３０の左側面２２には、右方に窪む凹部２６が形成されている。そして、凹部２６内には、被覆部１６の右端部が突き当たり、第１支持穴２８と固定部１７の左端部１７ａとの螺合と、第２支持穴２９と固定部１７の右端部１７ｂとの螺合が緩まないようになっている。また、凹部２６と被覆部１６の右端部との間には、シール部材３６が介在している。
【００３４】
次に、実施形態のハンドルノブ１０の効果について説明する。
ハンドルノブ１０の把持部材２０内には、前後方向に連続する大きな肉抜き穴（中央肉抜き穴３１と第１肉抜き穴４１と第２肉抜き穴５１）が形成されている。よって、把持部材２０は、大きく軽量化されてハンドル７の回転操作性が向上すると共に、釣糸放出操作時のハンドル７の不要な回転による不具合も抑制される。また、ハンドル７側の重量偏位も軽減されて魚釣操作性も向上する。
また、把持部材２０は、中心軸Ｏ２を中心とする回転方物体であり、非常に握り易く、ハンドル操作性がさらに向上している。
【００３５】
中央把持部３０は、中央連通穴３４（中央肉抜き穴３１）が形成され、筒部材１１の固定部１７の中間部１７ｃを支持していないものの、左右方向に離間した第１支持穴２８及び第２支持穴２９との螺合により固定部１７の両端（左端部１７ａと右端部１７ｂ）を支持している。よって、筒部材１１の固定部１７の両端を両受状態で離間支持（固定）されていることから、片受支持に比べて高い支持強度を有している。また、把持部材２０全体の軽量化を図りつつ、筒部材１１を中央把持部３０内に強固に支持固定できるので、強負荷巻取操作時に不規則な強い力が把持部材２０に作用しても、強度的な不具合（曲がり、折れ、ガタ付き、抜け等）を生じることなく、安定した巻取操作が行える。
【００３６】
また、第１支持穴２８と第２支持穴２９は、中心軸Ｏ１上に位置し肉厚部３５に重なっている。このため、第１支持穴２８と第２支持穴２９は、肉厚部３５の分だけ径方向内側に長くなっている。以上から、第１支持穴２８及び第２支持穴２９は、肉厚部３５の分だけ固定部１７を支持する部分が長くなり、支持強度が向上している。
【００３７】
筒部材１１の右端部１８には右開口１８ａが形成され、この右開口１８ａから内部に海水が浸入する可能性があるところ、凹状の第２支持穴２９で覆われている。このため、把持部材２０の外部にある海水が右開口１８ａ内に直接浸入しない。
【００３８】
中央把持部３０の前端面３２ａと第１側方把持部４０の後端面４０ａとの接合面は、第１螺合部（第１雄ねじ部３２ｂと第１雌ねじ部４３）により強固に当て突いている。また、前端面３２ａと後端面４０ａとの間には、シール部材４４が介在している。
また、中央把持部３０の後端面３３ａと第２側方把持部５０の前端面５０ａとの接合面は、第２螺合部（第２雄ねじ部３３ｂと第２雌ねじ部５３）により強固に当て突いている。また、後端面３３ａと前端面５０ａとの間には、シール部材５４が介在している。
さらに、筒部材１１の被覆部１６の右端部と中央把持部３０の凹部２６は、支持穴２７と固定部１７との螺合により強固に当て突いている。また、被覆部１６の右端面と凹部２６との間には、シール部材３６が介在している。
以上から、各部品の連結部分を通じて肉抜き穴（中央肉抜き穴３１と第１肉抜き穴４１と第２肉抜き穴５１）内に海水が浸入しないようになっている。
【００３９】
仮に、実釣時に肉抜き穴（中央肉抜き穴３１と第１肉抜き穴４１と第２肉抜き穴５１）内に海水、異物等が浸入したとしても、筒部材１１の右端部１７ｂと第２支持穴２９とが螺合しており、右開口１８ａと肉抜き穴（中央肉抜き穴３１と第１肉抜き穴４１と第２肉抜き穴５１）とが連通していない。よって、海水が右開口１８ａ内浸入するおそれが極めて低い。
【００４０】
把持部材２０は、中心軸Ｏ２方向に分割された３つの部品（中央把持部３０と第１側方把持部４０と第２側方把持部５０）で構成されている。つまり、中央把持部３０と第１側方把持部４０と第２側方把持部５０のそれぞれは、中心軸Ｏ２を中心に周方向に連続した形状となっている。さらに把持部材２０の前後方向の長さにおいて、中央把持部３０の長さＬ３０は、第１側方把持部４０の長さＬ４０や第２側方把持部５０の長さＬ５０よりも短く形成されている。よって、把持部材２０を掴み込んだ時の外表面の段差による触感の変化がないので、把持した時に掌と指の腹部に違和感が生じることがなくなってフィット感に優れ、長時間の巻取り操作でも痛みを生じることがなくなると共に、把持部材２０全体をしっかり掴んで力強く回転操作ができ、大物釣り等の巻取り操作にも最適である。
また、把持部材２０の支持穴２９は閉塞部２９ａにより閉塞され、把持部材２０の外周面の平滑性を確保されている。よって、把持部材２０の把持性が更に向上する。
さらに、巻き取り操作により把持部材２０に軸回りの大きな負荷が作用しても、中央把持部、第１側方把持部４０並びに第２側方把持部５０が回転するおそれがない。よって、把持部材２０にねじれが生じて握り難くなることを回避している。
【００４１】
また、把持部材２０の前後方向の長さにおいて、中央把持部３０の長さＬ３０は、第１側方把持部４０の長さＬ４０や第２側方把持部５０の長さＬ５０よりも短く形成されているため、次のような効果を奏する。以下、図５を用いて説明する。なお、図５（ａ）に示す把持部材２０は、実施形態の把持部材２０であり、（ｂ）に示す比較例の把持部材２０Ａは、中央把持部３０Ａの長さＬ３０と、第１側方把持部４０Ａの長さＬ４０及び第２側方把持部５０Ａの長さＬ５０とが同一に形成されたものである。
【００４２】
把持部材２０，２０Ａは、回転放物体であり、左右及び上下方向で切った断面面積は、中心軸Ｏ１に近づくにつれて大きくなる。つまり、長さＬ３０が短い実施形態の中央把持部３０の方が比較例の中央把持部３０Ａよりも断面積が大きくなる。このため、実施形態の第１開口部３２及び第２開口部３３の径は、比較例の第１開口部３２Ａ及び第２開口部３３Ａよりも大きく設定することができる。
また、旋盤加工により中央把持部３０，３０Ａを肉抜きしようとした場合、その肉抜き穴の径は、切削工具の入口である第１開口部３２，３２Ａ及び第２開口部３３，３３Ａの径に制限される。
以上から、実施形態によれば、旋盤加工により肉抜きできる範囲が大きくすることができ（補助線Ｈ参照）、肉抜き作業の容易化を図れる。
【００４３】
また、例えば、支持穴２７（第１支持穴２８、第２支持穴２９）を中央把持部３０の前端面３２ａ寄りに形成した場合、中央把持部３０の壁部を一定の肉厚とするため、旋盤加工後に中央把持部３０の前後方向の中間部の内周面を切削する必要となる。
一方で、本実施形態では、旋盤加工により前後方向に貫通する肉抜き穴３１を形成した場合に最も肉部が残る中央把持部３０の前後方向の中央部に、支持穴２７（第１支持穴２８、第２支持穴２９）を形成している。つまり、肉部を有効に利用して支持穴２７の支持強度を確保している。
以上、本実施形態によれば、支持穴２７の支持強度を確保しつつ、上記した中央把持部３０の内周面を切削する作業を不要とすることができる。
【００４４】
以上、実施形態について説明したが、本発明は実施形態で示した例に限定されない。
例えば、第１側方把持部４０や第２側方把持部５０を中心軸Ｏ２回りに回転させることを容易にするため、第１側方把持部４０や第２側方把持部５０に治具が係合可能な係合部を形成してもよい。
具体的には、図６に示すように、第１側方把持部４０の前面４５に、後方に窪む２つの凹部４６ａ，４６ａから構成される係合部４６を形成することが考えられる。
これによれば、図示しない二股の治具を凹部４６ａ，４６ａ内に挿入して中心軸Ｏ２回りに回転させることで、第１側方把持部４０が回転し、第１雄ねじ部３２ｂと第１雌ねじ部４３との螺合を容易に解除することができる。
【００４５】
また、実施形態において、中央把持部３０の内周面に肉厚部３５を形成し、第１支持穴２８と第２支持穴２９とにおける支持領域を長くなるようにしているが、本発明においては、図７に示すように、肉厚部３５に対して径方向外側に窪む凹部３５ａを形成し、軽量化を図ってもよい。ただし、図７に示すように、第１支持穴２８と第２支持穴２９以外の箇所に、凹部３５ａを形成することが好ましい。
【００４６】
また、実施形態において、第２支持穴２９の右方には閉塞部２９ａが形成され、凹状となっているが、図８に示すように、本発明の第２支持穴２９は、中央肉抜き穴３１と右側面２１とを貫通する貫通穴であってもよい。なお、このような場合においては、筒部材１１の右開口１８ａを閉塞する樹脂製の蓋部材６０を設けることが好ましい。
【００４７】
また、実施形態の肉抜き穴（中央肉抜き穴３１と第１肉抜き穴４１と第２肉抜き穴５１）は、外部空間とは連通しないように構成されているが、本発明は、例えば、第１側方把持部４０に貫通孔を形成して第１肉抜き穴４１と外部空間と連通するようにしてもよい。ただし、このような変形例によると、肉抜き穴（中央肉抜き穴３１と第１肉抜き穴４１と第２肉抜き穴５１）内に海水が浸入するおそれがある。よって、図９に示すように、筒部材１１の右端部１８と、中央把持部３０の閉塞部２９ａとの間にシール部材６１を介在させることが好ましい。これによれば、右開口１８ａ内に海水を浸入するおそれが極めて低い。
【００４８】
また、実施形態において、第１支持穴２８と第２支持穴２９とが同径に形成されているが、本発明においては、第１支持穴２８の方を大きく形成してもよい。これによれば、固定部１７の右端部１７ｂを通過させる際、第１支持穴２８の雌ねじ部に対し右端部１７ｂの雄ねじ部が係止せず、スムーズに通過させることができる。
また、実施形態において、筒部材１１の固定部１７と支持穴２７（第１支持穴２８と第２支持穴２９）とが螺合により一体化しているが、本発明においては接着、圧入等により一体化していてもよい。
【００４９】
実施形態の把持部材２０の外周面は、中央部から前端又は後端に向うについて縮径しているが、例えば把持部材が円筒状を呈し、中央部と前端と後端とが同径であってもよい。
また、実施形態の把持部材２０は、中央把持部３０を貫通する中央肉抜き穴３１により第１支持穴２８と第２支持穴２９とが離間しているが、本発明における肉抜き穴は、中央把持部３１を貫通しない穴であってもよい。つまり、中央把持部３０が前方にのみ開口する有底筒状を呈していてもよい。
【００５０】
また、中央把持部３０に中央肉抜き穴３１が形成され、支持穴２７を構成する第１支持穴２８と第２支持穴２９とが離間しているが、本発明は、第１支持穴２８と第２支持穴２９とが軸Ｏ１方向に連続し軸Ｏ１方向に長い一つの支持穴２７により構成されていてもよい。若しくは、支持穴２７は、第１支持穴２８と第２支持穴２９とうちいずれか一方のみから構成され、固定部１７の両端（左端部１７ａと右端部１７ｂ）の一端のみを支持するようにしてもよい。
【符号の説明】
【００５１】
１      魚釣用リール
１０    ハンドルノブ
１１    筒部材
１７    固定部
１７ａ  左端部
１７ｂ  右端部
１７ｃ  中間部
２０，２０Ａ  把持部材
２７    支持穴
２８    第１支持穴
２９    第２支持穴
２９ａ  閉塞部
３０，３０Ａ  中央把持部
３１    中央肉抜き穴
３２，３２Ａ  第１開口部
３３，３３Ａ  第２開口部
３４    中央連通穴
３５    肉厚部
４０，４０Ａ  第１側方把持部
５０，５０Ａ  第２側方把持部
【図１】
2020065512.tif 000003
【図２】
2020065512.tif 000004
【図３】
2020065512.tif 000005
【図４】
2020065512.tif 000006
【図５】
2020065512.tif 000007
【図６】
2020065512.tif 000008
【図７】
2020065512.tif 000009
【図８】
2020065512.tif 000010
【図９】
2020065512.tif 000011